(57)【要約】  ユーザの経験の有無を問わず、容易にかつ精度よくビデオ映像の輝度レベルを把握できる表示方法および装置を提供する。  ビデオ映像のビデオ信号の輝度レベルを色情報に変換して、ビデオ映像の輝度の変化を色の変化として表示する。前記変換は、複数の重み付けのそれぞれに応じて、赤色、緑色、青色の三原色の色情報に変換する方法、所定の範囲の輝度レベルを輝度レベルの変化率よりも大きな変化率をもつ色情報に変換する方法、所定の範囲外にある輝度レベルを最大または最小のレベルの色情報に変換する方法等であることが望ましい。また、入力したビデオ映像と変換されたビデオ映像を並べてあるいは重ねて表示することが望ましい。
2009075027.tif 000002
【特許請求の範囲】
【請求項１】
ビデオ映像の輝度レベルを表示する表示装置であって、
ビデオ映像のビデオ信号を入力し、前記ビデオ信号の輝度レベルを出力する信号処理回路と、
前記輝度レベルを入力し、前記輝度レベルを１色または複数色の色信号に変換したビデオ信号を出力する変換回路と、
前記変換したビデオ信号のビデオ映像を表示する表示手段と
を備えた表示装置。
【請求項２】
請求項１記載の表示装置であって、
前記変換回路が、複数の重み付けのそれぞれに応じて、前記輝度レベルを赤色、緑色、青色の三原色の色信号に変換する変換回路である表示装置。
【請求項３】
請求項１記載の表示装置であって、
前記変換回路が、所定の範囲の輝度レベルを、輝度レベルの変化率よりも大きな信号レベルの変化率をもつ色信号に変換する変換回路である表示装置。
【請求項４】
請求項１記載の表示装置であって、
前記変換回路が、所定の範囲外にある輝度レベルを、最大または最小の信号レベルの色信号に変換する変換回路である表示装置。
【請求項５】
請求項１記載の表示装置であって、
前記表示手段が、前記信号処理回路に入力したビデオ信号のビデオ映像と、前記変換したビデオ信号のビデオ映像とを、並べて表示する表示手段である表示装置。
【請求項６】
請求項１記載の表示装置がさらに、
前記輝度レベルが所定範囲内にあるか否かを判定し、判定結果により前記信号処理回路に入力したビデオ映像のビデオ信号と、前記変換したビデオ信号とを選択的に出力する選択回路を備え、かつ、
前記表示手段が前記選択回路からの出力されたビデオ信号によるビデオ映像を表示する表示手段である表示装置。
【請求項７】
ビデオ映像の輝度レベルを表示する表示方法であって、
入力されたビデオ映像のビデオデータの輝度レベルを求める処理ステップと、
前記ビデオデータの色情報を、前記輝度レベルに応じて１色または複数色の色情報に変換したビデオデータを生成する変換ステップと、
前記変換したビデオデータのビデオ映像を表示する表示ステップと
を含む表示方法。
【請求項８】
請求項７記載の表示方法であって、
前記変換ステップが、前記輝度レベルを、複数の重み付けのそれぞれに応じて、赤色、緑色、青色の三原色の色情報に変換するステップである表示方法。
【請求項９】
請求項7記載の表示方法であって、
前記変換ステップが、所定の範囲の輝度レベルを、輝度レベルの変化率よりも大きな変化率をもつ色情報に変換するステップである表示方法。
【請求項１０】
請求項7記載の表示方法であって、
前記変換ステップが、所定の範囲外にある輝度レベルを、最大または最小のレベルの色情報に変換するステップである表示方法。
【請求項１１】
請求項7記載の表示方法であって、
前記表示ステップが、前記入力されたビデオ映像と、前記変換したビデオデータのビデオ映像とを、並べて表示するステップである表示方法。
【請求項１２】
請求項7記載の表示方法において、
前記変換ステップが、輝度レベルが所定範囲内の場合のみ、輝度レベルを色情報に変換したビデオデータを生成するステップである表示方法。
【発明の詳細な説明】
【技術分野】
【０００１】
本発明は、輝度情報を表示する装置および方法に関し、特にビデオ映像の輝度レベルを表示する装置等に関する。
【背景技術】
【０００２】
テレビ番組の制作や映画制作などの映像コンテンツの制作においては、撮影環境やビデオカメラの性能などに応じて、最適な輝度で撮影できるように、撮影現場で照明や撮影条件を調整しながら撮影を行うことが一般的である。このためには、撮影されたビデオ映像の輝度レベルが撮影者の意図に沿うものか否かを、撮影現場でリアルタイムで判断することが必要となる。ビデオ映像の輝度レベルを把握する方法としては、撮影された映像そのものをピクチャーモニタで表示して把握する方法や、特許文献１の図７（ｂ）に記載された波形モニタの解析画像により把握する方法が一般的である。
【特許文献１】特開２００４−１４７００５号公報
【発明の開示】
【発明が解決しようとする課題】
【０００３】
このうち、前者のピクチャーモニタで把握する方法は、ユーザが撮影した映像そのものを直接視覚で確認できるという利点がある反面、モニタの表示性能の限界により輝度情報の全てを表示することができないという問題があった。撮影現場では編集現場で用いるような輝度の表現性能の高いピクチャーモニタを利用することができないため、映像の高輝度領域の白とびや低輝度領域の黒潰れにより、仕上がった映像が撮影者の意図と異なる場合があった。【０００４】
この点、後者の波形モニタは、ビデオ映像を輝度レベルの大きさでグラフ化した解析結果を表示するものであるため、高輝度から低輝度まで正確に表示ができるという利点がある。しかし、表示される波形からビデオ映像の輝度レベルが意図どうりのものであるか否かを判断するためには熟練が必要であった。【０００５】
そこで、ユーザの経験の有無を問わず、容易にかつ精度よくビデオ映像の輝度レベルを把握できる表示および当該方法を用いた表示装置が求められていた。
【課題を解決するための手段】
【０００６】
上述した課題は、ビデオ映像の輝度レベルを表示する表示装置であって、ビデオ映像のビデオ信号を入力し、前記ビデオ信号の輝度レベルを出力する信号処理回路と、前記輝度レベルを入力し、前記輝度レベルを１色または複数色の色信号に変換したビデオ信号を出力する変換回路と、前記変換したビデオ信号のビデオ映像を表示する表示手段とを備えた表示装置により解決することができる。【０００７】
すなわち、ビデオ映像のビデオ信号の輝度レベルを色情報に変換して、ビデオ映像の輝度の変化を色の変化として表示する。これにより、ユーザが容易にビデオ映像の輝度レベルを把握することができ、また輝度の表現性能が悪いピクチャーモニタであっても、低輝度領域や高輝度領域の輝度レベルを表示することができる。【０００８】
ここで、前記変換回路が、複数の重み付けのそれぞれに応じて、前記輝度レベルを赤色、緑色、青色の三原色の色信号に変換する変換回路であることが望ましい。３原色を使ったカラー表示により表現の幅が広がるため、輝度レベルの把握がより容易になる。また、輝度の表現性能が悪いピクチャーモニタであっても、低輝度領域から高輝度領域までより精度よく輝度レベルを表示することができる。【０００９】
さらに、前記変換回路が、所定の範囲の輝度レベルを、輝度レベルの変化率よりも大きな信号レベルの変化率をもつ色信号に変換する変換回路であることが望ましい。すなわち、所定範囲の輝度レベルの輝度の変化を強調して表示することにより、ユーザが特に注目したい部分の輝度レベルを把握することも可能となる。例えば、夕闇の映像のように全体的に輝度レベルが低いビデオ映像の場合には、低輝度領域の変化率を大きくした色信号に変換することにより、従来であれば黒潰れで正しく表示できなかった部分の輝度レベルを、容易に把握することができる。【００１０】
さらに、前記変換回路が、所定の範囲外にある輝度レベルを、最大または最小の信号レベルの色信号に変換する変換回路であることが望ましい。すなわち、所定範囲外の輝度レベルを、最大の信号レベル（例えば白色）または最小の信号レベル（例えば黒色）に変換することにより、ユーザが注目したい輝度情報を容易に把握することができる。【００１１】
さらに、前記表示手段が、前記信号処理回路に入力したビデオ信号のビデオ映像と、前記変換したビデオ信号のビデオ映像とを、並べて表示する表示手段であることが望ましい。すなわち、撮影したビデオ映像自体と、輝度レベルを色信号に変換したビデオ映像とを表示手段に並べて表示する。これにより、ユーザが両映像の対応関係を容易に把握することが可能となる。【００１２】
さらに、表示装置が、前記輝度レベルが所定範囲内にあるか否かを判定し、判定結果により前記信号処理回路に入力したビデオ映像のビデオ信号と、前記変換したビデオ信号とを選択的に出力する選択回路をさらに備え、かつ、前記表示手段が前記選択回路からの出力されたビデオ信号によるビデオ映像を表示する表示手段である表示装置であることが望ましい。選択回路から出力されるビデオ信号のビデオ映像は、所定範囲の輝度レベルをもつ画素のビデオ信号のみを色信号に変換したビデオ映像となる。これにより、ユーザが撮影映像と輝度情報の関係をより容易に把握することが可能となる。【００１３】
また、上述した課題は、ビデオ映像の輝度レベルを表示する表示方法であって、入力されたビデオ映像のビデオデータの輝度レベルを求める処理ステップと、前記ビデオデータの色情報を、前記輝度レベルに応じて１色または複数色の色情報に変換したビデオデータを生成する変換ステップと、前記変換したビデオデータのビデオ映像を表示する表示ステップとを含む表示方法によっても解決することができる。【００１４】
近年のデジタル化により、ビデオ映像の映像情報はデジタル化されたビデオデータで伝送されることが一般的となった。このようなデジタルデータの輝度情報を色情報に変換する処理はソフトウェアで記述することも可能な、一般的な表示方法として把握することが可能である。【００１５】
ここで、前記変換ステップを、複数の重み付けのそれぞれに応じて、赤色、緑色、青色の三原色の色情報に変換するステップとしたり、所定の範囲の輝度レベルを輝度レベルの変化率よりも大きな変化率をもつ色情報に変換するステップとしたり、さらには、所定の範囲外にある輝度レベルを最大または最小のレベルの色情報に変換するステップとしたりすることにより、ユーザが所望する輝度レベルの範囲をより容易に把握することが可能となる。【００１６】
また、前記表示ステップにおいて、前記入力されたビデオ映像と前記変換したビデオデータのビデオ映像とを並べて表示する、あるいは、前記変換ステップにおいて、輝度レベルが所定範囲内の場合のみ輝度レベルを色情報に変換したビデオデータを生成してもよい。すなわち、撮影したビデオ映像と変換されたビデオ映像を並べてあるいは重ねて表示することにより、ユーザが両ビデオ映像の対応関係をより容易に把握することができる。
【発明の効果】
【００１７】
本発明により、ユーザの経験の有無を問わず、容易にかつ精度よくビデオ映像の輝度レベルを把握できる方法およびその装置を提供することができる。【００１８】
本発明のその他の特徴、態様および利点は、以下の説明、添付の請求の範囲および添付の図面を参照することにより、より良く理解されよう。
【図面の簡単な説明】
【００１９】
【図１】本発明に係る輝度情報表示装置の概略構成図である。
【図２】本発明に係る輝度情報表示装置の動作を示すフローチャートである。
【図３】輝度レベルに対する各色信号の重み付けを示す図である。
【図４】輝度レベルと色信号に変換する処理のフローチャートである。
【図５】輝度レベルに対するＧ信号の重み付けを示す図である。
【図６】所定範囲を強調して変換する変換処理のフローチャートである。
【図７】輝度レベルに対する色信号の重み付けを示す図である。
【図８】輝度情報表示装置の表示例である。
【図９】輝度情報表示装置の別の表示例である。
【図１０】本発明に係る別の輝度情報表示装置の概略構成図である。
【図１１】本発明に係る別の輝度情報表示装置の動作を示すフローチャートである。
【符号の説明】
【００２０】
１１  信号処理回路
１２  変換回路
１３  選択回路
１４  表示制御回路
１５  表示装置
【発明を実施するための最良の形態】
【００２１】
図１は、本発明に係る輝度情報表示装置１０の概略構成図である。図中の矢印はビデオ信号の流れを示す。輝度情報表示装置１０は、ビデオ映像のビデオ信号Ｖoを入力し、当該ビデオ信号の輝度レベルＹを出力する信号処理回路１１と、輝度レベルＹを入力し、当該輝度レベルＹを色信号に変換したビデオ信号Ｖtを出力する変換回路１２と、輝度レベルＹおよびビデオ信号Ｖo、Ｖtの３つの信号を入力し、輝度レベルＹに基づいてビデオ信号Ｖoとビデオ信号Ｖtのいずれか一方のビデオ信号Ｖsを選択的に出力する選択回路１３と、ビデオ信号Ｖo、Ｖsおよび他のビデオ映像のビデオ信号Ｖ1を入力し、信号処理を施してディスプレイ１５に表示するビデオ映像のビデオ信号Ｖcを生成する表示制御回路１４と、ビデオ信号Ｖcのビデオ映像を表示するディスプレイ１５とから構成される。【００２２】
信号処理回路１１は、入力されたビデオ映像のビデオ信号Ｖoの輝度レベルＹを求める回路である。本実施例の輝度情報表示装置１０では、入力されるビデオ信号Ｖoはデジタルのコンポジット信号であるため、信号処理回路１１はコンポジット信号のビデオデータから輝度レベルＹを分別する回路で構成されているが、回路構成は入力するビデオ信号が準拠する規格に応じて適宜設計可能である。例えば、入力するビデオ信号がＲＧＢ信号である場合には、ＲＧＢの各信号の信号レベルに係数を掛けてたし合わせることによって輝度レベルＹを算出することができる。また、入力信号がアナログ信号である場合には、Ｙ／Ｃ分離回路によりアナログ信号の輝度レベルＹを求めてもよいし、Ｄ／Ａ変換によりデジタルのビデオデータとしてから数値処理により輝度レベルＹを求めてもよい。【００２３】
変換回路１２は、輝度レベルＹを色信号に変換したビデオ信号Ｖtを出力する回路である。本実施例の輝度情報表示装置１０に入力するコンポジット信号は、輝度レベルＹが１０ビット（０から１０２３までの１０２４階調）のデジタルデータで、色信号は赤色（Ｒ）、緑色（Ｇ）、青色（Ｂ）それぞれ８ビット（０から２５５までの２５６階調）のデジタルデータである。このため、変換回路１２は、１０ビットの輝度レベルＹを、それぞれ８ビットのＲＧＢの色情報に変換したビデオ信号Ｖtを生成する。【００２４】
変換する色情報は単色でもカラーでもよいが、カラーに変換する際には、予めユーザによって指定された重み付けに従って、輝度レベルＹを赤色（Ｒ）、緑色（Ｇ）、青色（Ｂ）の各色の色信号に変換する。また、輝度レベルＹの変化に対する色信号の変化を、ある特定の輝度レベルの範囲だけ大きくしたり、入力された輝度レベルが所定範囲以外の場合には、最大（例えば白色）または最小（例えば黒色）の信号レベルに変換するなどの方法により、ユーザが所望する範囲の輝度レベルを強調して変換する機能も有する。変換方法の詳細は後述する。なお、入力された輝度レベルＹがアナログ信号である場合には、Ｄ／Ａ変換によりデジタルのビデオデータに変換してからデジタル数値処理により色情報に変換してもよいし、アナログ信号処理で色信号に変換したアナログビデオ信号を出力してもよい。【００２５】
選択回路１３は、入力された輝度レベル信号Ｙが、ユーザが予め指定した所定の範囲にある場合には、変換回路１２から出力されたビデオ信号Ｖtを出力し、所定範囲外の場合には、信号処理回路１１に入力したビデオ映像のビデオ信号Ｖoを出力する回路である。選択回路１３は、輝度レベルＹが所定範囲にあるか否かを判定して判定結果信号を出力する判定回路と、判定結果信号に基づいてビデオ信号Ｖoとビデオ信号Ｖtのいずれか一方のビデオ信号Ｖsを選択的に出力するマルチプレクサとから構成されている。なお、本実施例の輝度情報表示装置１０では、ビデオ信号Ｖoがコンポジット信号であるのに対して選択回路１３から出力するビデオ信号ＶsはＲＧＢ信号であるため、選択回路１３にてコンポジット信号をＲＧＢ信号に変換を行っている。【００２６】
表示制御回路１４は、入力ビデオ映像のビデオ信号Ｖo、選択回路１３から出力されたビデオ信号Ｖs、および他のビデオ映像Ｖ1を入力し、それぞれのビデオ映像をユーザが設定した表示位置・表示方法でディスプレイ１５で表示するために、ビデオ映像の画素数を所定の画素数に変換し、各ビデオ映像を所定の位置にレイアウトしたビデオ信号Ｖcを生成する回路である。本実施例の輝度情報表示装置１０は、波形モニタや、入力されたビデオ映像の信号レベルが放送規格に則しているかを判定する機能等も備えているため、これらの結果をビデオ信号Ｖ1として表示制御回路１４に入力して、ビデオ信号ＶoやＶsと並べたビデオ画像のビデオ信号Ｖcを生成する。【００２７】
ディスプレイ１５は、ビデオ信号Ｖcのビデオ映像をカラー表示するディスプレイである。本実施例の輝度情報表示装置１０では、液晶ディスプレイを使用しているが、ブラウン管モニタやなどの他のカラー映像表示デバイスであってもよい。【００２８】
次に、輝度情報表示装置１０の動作を図２のフローチャートにそって説明を行う。撮影されたビデオ映像のビデオ信号Ｖoが入力されると、信号処理回路１１においてビデオ信号Ｖoから輝度レベルＹを求める（ステップ２１）。次に、変換回路１２において輝度レベルＹを色信号に変換したビデオ信号Ｖtを生成する（ステップ２２）。次に、選択回路１３において輝度レベルＹが所定の範囲にあるか否かを判定して（ステップ２３）、所定範囲内であった場合には変換したビデオ信号Ｖtを選択し（ステップ２４）、所定範囲外の場合には入力したビデオ映像のビデオ信号Ｖoを選択して（ステップ２５）、選択したビデオ信号Ｖsを出力する。【００２９】
ビデオ信号Ｖsは、入力されたビデオ映像Ｖoのうち、輝度レベルＹが所定範囲内にある画素のビデオ信号がビデオ信号Ｖtに置き換わったビデオ信号となる。よって出力されたビデオ信号Ｖsのビデオ映像は、図８のように、変換されたビデオ映像（図８では領域８２）と、入力されたビデオ映像Ｖo（図８では領域８３）との重ね合わせ映像８１となる。なお、輝度レベルの範囲を全範囲（０％から１００％まで）に設定することにより、変換されたビデオ信号Ｖtのみをビデオ信号Ｖsとして出力させることができる。【００３０】
次に、表示制御回路１４において、ビデオ信号Ｖs、Ｖoを適当な表示画素数に変換し、波形モニター等のビデオ映像Ｖ1とともに指定の表示形式にレイアウトを行ったビデオ映像のビデオ信号Ｖcを生成する（ステップ２６）。最後に、ビデオ信号Ｖcの映像をディスプレイ１５で表示する（ステップ２７）。【００３１】
図９は、ディスプレイ１５の画面を４分割し、入力されたビデオ映像Ｖoを領域９３に、変換したビデオ信号Ｖtのビデオ映像を領域９４に、波形モニタのビデオ映像Ｖwを領域９１に、ビデオ映像Ｖoの信号レベルと放送規格との対応関係を示すビデオ映像Ｖpを領域９２にそれぞれ並列して表示した様子を示す。この場合には、ステップ２６において、表示制御回路１４にぞれぞれのビデオ映像のビデオ信号Ｖo、Ｖs、Ｖw、Ｖpが入力され、ぞれぞれディスプレイ１５の画面の１／４の解像度に相当する映像に解像度変換されて、適当な位置に配置されたビデオ信号Ｖcが生成されている。【００３２】
次に、変換回路１２において輝度レベルＹを色信号に変換したビデオ信号Ｖtを生成するステップ２２を、いくつかの実施例により、さらに詳細に説明する。【００３３】
はじめに、図３に示す重み付けに従って、輝度レベルＹを色信号レベルに変換する例を説明する。具体的な処理手順の説明の前に、輝度レベルＹと変換される色情報との関係を簡単に説明する。図３の各グラフにおいて、横軸を輝度レベルＹ、縦軸を変換された色信号の信号レベルを示し、図３（ａ）は輝度レベルＹに対する赤色（Ｒ）の色信号の重み付けを、図３（ｂ）は輝度レベルＹに対する緑色（Ｇ）の色信号の重み付けを、図３（ｃ）は輝度レベルＹに対する青色（Ｂ）の色信号の重み付けを、それぞれ示している。【００３４】
Ｙ＝０が入力されるとＲ＝Ｇ＝０、Ｂ＝２５５となるため、変換された色情報は青色となる。０＜Ｙ≦２５５の領域では、Ｒ信号のレベル（０）とＢ信号のレベル（２５５）は不変だが、Ｇ信号のレベルがＹのレベルの増加とともに増加する。このため、変換された色情報は、青色からシアン色に連続的に変化する。２５５＜Ｙ≦５１１の領域では、Ｒ信号のレベル（０）とＧ信号のレベル（２５５）は不変だが、Ｂ信号のレベルがＹのレベルの増加に従って減少する。このため、変換された色情報は、シアン色から緑色に連続的に変化する。５１１＜Ｙ≦７６７の領域では、Ｇ信号のレベル（２５５）とＢ信号のレベル（０）は不変だが、Ｒ信号のレベルがＹのレベルの増加とともに増加する。このため、変換された色情報は、緑色から黄色に連続的に変化する。７６７＜Ｙ≦１０２３の領域では、Ｒ信号のレベル（２５５）とＢ信号のレベル（０）は不変だが、Ｇ信号のレベルがＹのレベルが増加に従って減少する。このため、変換された色情報は、黄色から赤色に連続的に変化する。結局、Ｙのレベルの増加に従って、青色、シアン色、緑色、黄色、赤色と徐々に変化する色信号に変換される。【００３５】
次に、図３の重み付けに応じた変換の具体的な処理方法について、図４のフローチャートを参照しながら説明する。まず、Ｒ＝Ｙ−５１１、Ｂ＝５１１−Ｙの数値演算によりＲ信号とＢ信号の仮信号レベルを求める（ステップ２２１）。次に、輝度レベルＹが５１１よりも小さいか否かを判定し（ステップ２２２）、大きい場合にはＧ＝１０２３−Ｙの演算によりＧ信号の仮信号レベルを算出し（ステップ２２３）、小さい場合（ＹＥＳ）には輝度レベルＹをＧ信号の仮信号レベルとする（ステップ２２４）。なお、仮信号レベルの段階では、ビデオデータ値がマイナスの値や２５５を超える値になることがある。【００３６】
次に、ステップ２２１〜２２４で求めたＲ、Ｇ、Ｂの各色信号の仮信号レベルが負数である場合には（ステップ２２５）、当該色信号の信号レベルを０とする（ステップ２２６）。また、Ｒ、Ｇ、Ｂの各色信号の仮信号レベルが２５５よりも大きな場合には（ステップ２２７）、当該色信号の信号レベルを２５５とする（ステップ２２８）。仮信号レベルのデータ値が０〜２５５の間にある場合には、当該データ値を変換された色信号の信号レベルとする。以上により、図３に示した重み付けに応じて、輝度レベルＹを、赤色、緑色、青色の三原色の色信号に変換する。【００３７】
図５に別の重み付けの例を示す。図６では、５％から１０％の範囲（所定範囲）の輝度レベルＹを緑色単色の濃淡の色情報に変換する。なお、本例の説明においては、説明の都合上、レベルを最大値に対する割合で表記することがある。例えば、輝度レベルＹのデータ値の範囲は０から１０２３であるので、５％は５１（＝１０２３＊５／１００）、１０％は１０２（＝１０２３＊１０／１００）に相当する。また、色信号の信号レベルの範囲は０から２５５であるので、５０％は１２６（＝２５５＊５０／１００）、１００％は２５５（＝２５５＊１００／１００）に相当する。【００３８】
まず、図５の変換について簡単に説明を行う。所定範囲外となる０％≦Ｙ＜５％の領域および１０％＜Ｙ≦１００％の領域では、Ｇ信号の信号レベルをそれぞれ最小（０％）および最大（１００％）とする。また、５％≦Ｙ≦１０％の所定範囲では、Ｙのレベルが１％増加するとＧ信号のレベルが１０％増加するように変換する。つまり、輝度レベルＹの変化率よりも色信号のレベルの変化率が大きくなるように変換する。【００３９】
次に、図５の重み付けに応じた変換の具体的な処理方法について、図６のフローチャートを参照しながら説明する。まず、輝度レベルＹが所定範囲の一方の境界値である１０２より大きいか否かを判定し（ステップ２３１）、大きな場合にはＧ信号の信号レベルを最大の信号レベルである２５５に設定する（ステップ２３２）。また、輝度レベルＹが他方の境界値である５１より小さいか否かを判定し（ステップ２３３）、小さな場合にはＧ信号の信号レベルを最小の信号レベルである０に設定する（ステップ２３４）。輝度レベルＹが所定範囲内（５１≦Ｙ≦１０２）にある場合には、Ｇ＝５Ｙ−２５５の式に従ってＧ信号の信号レベルに変換する。以上により、図５に示した重み付けに応じて、輝度レベルＹを緑色の色信号に変換する。なお、本例では緑色単色の色情報に変換するため、Ｒ信号とＢ信号の信号レベルは常に０である。【００４０】
本実施例の輝度情報表示装置１０は、強調表示する輝度レベルの範囲の境界値は、ユーザが任意のデータ値または最大値に対する割合として設定することができる。また、輝度レベルＹと色信号の信号レベルの対応関係もさまざまな設定が可能である。例えば、図７（ａ）のように所定範囲以外の信号レベルを全て０％に設定すれば、所定範囲内の輝度レベルの分布や変化をより容易に把握することができる。また、図７（ｂ）で示すように、輝度レベルＹと信号レベルとの対応関係が非線形となる重み付けに設定することも可能である。【００４１】
本発明の別の輝度情報表示装置３０の概略構成図を図１０に示す。輝度情報表示装置３０では、表示を除く全ての処理をソフトウェアの演算処理で実現している。このため、輝度情報表示装置３０は、数値演算機能を有するマイクロプロセッサユニット（ＭＰＵ）３１と、ＭＰＵ３１に接続されたメモリ３２とディスプレイ１５という単純なハードウェア構成となっている。【００４２】
ＭＰＵ３１は、入力されたビデオ映像のビデオデータＶoと、波形モニタ等の他のビデオ映像のビデオデータＶ1とを入力し、ディスプレイ１５に表示するビデオ映像のビデオデータＶcを出力するユニットで、デジタルデータの数値演算回路と外部回路とのインターフェイスにより構成されている。【００４３】
メモリ３２には、輝度レベルＹと変換する色情報の重み付けを示したルックアップテーブル３３が格納されている。例えば、図３、５、７の横軸（輝度レベルＹ）の各値に対応する縦軸（ＲＧＢの色情報）の値がテーブルとして記録されている。【００４４】
次に、輝度情報表示装置３０の動作を図１１のフローチャートを参照しながら説明する。ビデオ映像のビデオデータＶoが入力されると、まずＭＰＵ３１がビデオデータから輝度レベルＹを求める（ステップ３１）。次に、ＭＰＵ３１が輝度レベルＹが所定の範囲にあるか否かを判定する（ステップ３２）。所定範囲内であった場合には、メモリ３２に格納されたテーブルの重み付けに応じて、輝度レベルＹを色情報に変換したビデオデータに書き換える（ステップ３３）。【００４５】
この書き換えにより、入力されたビデオ映像のビデオデータＶoのうち輝度レベルが所定範囲にあるビデオデータのみの色情報が書き換えられた図８のビデオ映像８１が得られる。なお、所定範囲を全範囲（０％から１００％まで）に設定することにより、ビデオデータの全ての色情報を書き換えることも可能である。次に、得られたビデオデータを表示に応じた画素数に変換し、波形モニター等のビデオデータとともにレイアウトしたビデオデータＶcを生成する（ステップ３４）。最後に、ディスプレイ１５により、当該ビデオデータＶcのビデオ映像を表示する（ステップ３５）。【００４６】
以上、本発明に係る技術的思想を特定の実施態様を参照しつつ詳細にわたり説明したが、本発明の属する分野における当業者には、請求項の趣旨及び範囲から離れることなく様々な変更及び改変を加えることが出来ることは明らかである。上述した説明は、例示を目的として述べたものであり、網羅的であることまたは開示された形に限定されることを意図したものではない。変形および修正が可能であり、それらは添付の特許請求の範囲に記載される上述の実施形態の範囲に含まれる。【００４７】
例えば、図２のフローチャートをソフトウェアで記述して輝度情報表示装置３０で実行してもよい。この場合、ステップ２２で全てのビデオデータの輝度レベルを色情報に変換することになるため、ＭＰＵ３１に要求される数値処理性能は高くなる。この対策として、図１に示した輝度情報表示装置の各回路のうち高速処理が必要な部分の機能を電子回路で実現し、他の部分をソフトウェアで実現してもよい。
【図１】
2009075027.tif 000003
【図２】
2009075027.tif 000004
【図３】
2009075027.tif 000005
【図４】
2009075027.tif 000006
【図５】
2009075027.tif 000007
【図６】
2009075027.tif 000008
【図７】
2009075027.tif 000009
【図８】
2009075027.tif 000010
【図９】
2009075027.tif 000011
【図１０】
2009075027.tif 000012
【図１１】
2009075027.tif 000013
【手続補正書】
【提出日】平成20年4月10日(2008.4.10)
【手続補正１】
【補正対象書類名】特許請求の範囲
【補正対象項目名】全文
【補正方法】変更
【補正の内容】
【特許請求の範囲】
【請求項１】
ビデオ映像の輝度レベルを表示する表示装置であって、
ビデオ映像のビデオ信号を入力し、前記ビデオ信号の輝度レベルを出力する信号処理回路と、
前記輝度レベルを入力し、前記輝度レベルを１色または複数色の色信号に変換したビデオ信号を出力する変換回路と、
前記輝度レベルが所定範囲内にあるか否かを判定し、判定結果により前記信号処理回路に入力したビデオ映像のビデオ信号と、前記変換したビデオ信号とを選択的に出力する選択回路と、
前記選択回路からの出力されたビデオ信号によるビデオ映像を表示する表示手段と
を備えた表示装置。
【請求項２】
請求項１記載の表示装置であって、
前記変換回路が、複数の重み付けのそれぞれに応じて、前記輝度レベルを赤色、緑色、青色の三原色の色信号に変換する変換回路である表示装置。
【請求項３】
請求項１記載の表示装置であって、
前記変換回路が、所定の範囲の輝度レベルを、輝度レベルの変化率よりも大きな信号レベルの変化率をもつ色信号に変換する変換回路である表示装置。
【請求項４】
請求項１記載の表示装置であって、
前記変換回路が、所定の範囲外にある輝度レベルを、最大または最小の信号レベルの色信号に変換する変換回路である表示装置。
【請求項５】
請求項１記載の表示装置であって、
前記表示手段が、前記信号処理回路に入力したビデオ信号のビデオ映像と、前記選択回路から出力されたビデオ信号のビデオ映像とを、並べて表示する表示手段である表示装置。
【請求項６】
（削除）
【請求項７】
ビデオ映像の輝度レベルを表示する表示方法であって、
入力されたビデオ映像のビデオデータの輝度レベルを求める処理ステップと、
前記ビデオデータの色情報を、前記輝度レベルに応じて１色または複数色の色情報に変換したビデオデータを生成するステップであって、輝度レベルが所定範囲内の部分のみ、輝度レベルを色情報に変換したビデオデータを生成する変換ステップと、
前記変換したビデオデータのビデオ映像を表示する表示ステップと
を含む表示方法。
【請求項８】
請求項７記載の表示方法であって、
前記変換ステップが、前記輝度レベルを、複数の重み付けのそれぞれに応じて、赤色、緑色、青色の三原色の色情報に変換するステップである表示方法。
【請求項９】
請求項７記載の表示方法であって、
前記変換ステップが、所定の範囲の輝度レベルを、輝度レベルの変化率よりも大きな変化率をもつ色情報に変換するステップである表示方法。
【請求項１０】
請求項７記載の表示方法であって、
前記変換ステップが、所定の範囲外にある輝度レベルを、最大または最小のレベルの色情報に変換するステップである表示方法。
【請求項１１】
請求項７記載の表示方法であって、
前記表示ステップが、前記入力されたビデオ映像と、前記変換したビデオデータのビデオ映像とを、並べて表示するステップである表示方法。
【国際調査報告】
2009075027.tif 000014
2009075027.tif 000015